【手続補正書】
【提出日】平成29年5月10日(2017.5.10)
【手続補正１】
【補正対象書類名】明細書
【補正対象項目名】００２０
【補正方法】変更
【補正の内容】
【００２０】
表面シート２は、第１シートと第２シートとの積層体からなる。第１シートは、おむつ１の着用状態において、着用者の身体側に位置している。第２シートは、吸収体４側に位置している。図３の要部拡大図である図４に示すとおり、表面シート２は、中央域Ｓ及び側部域Ｍのいずれにおいても、積層された第１シート及び第２シートがエンボス加工又は超音波加工により部分的に接合されて複数の接合部Ｍ１１，Ｍ１２，Ｓ１１，Ｓ１２が形成されており、第１シートが、該接合部Ｍ１１，Ｍ１２，Ｓ１１，Ｓ１２以外の部位において第２シートから離れる方向に突出して、着用者の肌側に向かって突出する凸部Ｍ２１，Ｓ２１，Ｓ２２を形成している。表面シート２は、中央域Ｓ及び側部域Ｍのいずれにおいても、第２シート側の面がほぼ平坦であり、第１シート側に起伏の大きな凹凸が形成されている。
【手続補正２】
【補正対象書類名】明細書
【補正対象項目名】００２１
【補正方法】変更
【補正の内容】
【００２１】
表面シート２の中央域Ｓにおいては、２種類の接合部Ｓ１１，Ｓ１２が形成されている。接合部Ｓ１１，Ｓ１２はいずれも縦方向Ｘ及び横方向Ｙに沿う辺を有する矩形をしている点で一致するが、互いに異なる形状をしている。接合部Ｓ１１は、縦方向Ｘに沿って所定の距離を隔てて列状に配置されており、第１接合部列Ｓ３１を形成している。接合部Ｓ１２も、縦方向Ｘに沿って所定の距離を隔てて列状に配置されており、第２接合部列Ｓ３２及び第３接合部列Ｓ３３を形成している。隣り合う第１接合部列Ｓ３１の間には、第２接合部列Ｓ３２と第３接合部列Ｓ３３とが交互に配置されている。第２接合部列Ｓ３２と第３接合部列Ｓ３３とは、縦方向Ｘに沿う接合部Ｓ１２のピッチが同じになっており、且つ位相が半ピッチずれている。このように接合部Ｓ１１，Ｓ１２が配置されていることで、中央域Ｓには、凸部Ｓ２１，Ｓ２２が形成されている。凸部Ｓ２１は、横方向Ｙに沿う長さが、縦方向Ｘに沿う長さよりも長い、略楕円形の平面視形状をしている。凸部Ｓ２２は、横方向Ｙに沿う長さと縦方向Ｘに沿う長さが略同一である、略円形の平面視形状をしている。表面シート２を縦方向Ｘに沿って見たとき、中央域Ｓには、凸部Ｓ２１と、凸部Ｓ２２とが縦方向Ｘに沿って交互に配置されている第１凸部列Ｓ３４が形成されている。第１凸部列Ｓ３４は、上述した第２接合部列Ｓ３２と同じ位置に位置している。また、表面シート２を縦方向Ｘに沿ってみたとき、中央域Ｓには、凸部Ｓ２２のみが縦方向Ｘに沿って配置されている第２凸部列Ｓ３５が形成されている。第２凸部列Ｓ３５は、上述した第３接合部列Ｓ３３と同じ位置に位置している。
【手続補正３】
【補正対象書類名】明細書
【補正対象項目名】００２２
【補正方法】変更
【補正の内容】
【００２２】
表面シート２の側部域Ｍにおいては、２種類の接合部Ｍ１１，Ｍ１２が形成されている。接合部Ｍ１１，Ｍ１２はいずれも縦方向Ｘ及び横方向Ｙに沿う辺を有する矩形をしている点で一致するが、互いに異なる形状をしている。接合部Ｍ１１は、縦方向Ｘに沿って所定の距離を隔てて列状に配置されており、第４接合部列Ｍ３１を形成している。接合部Ｍ１２も、縦方向Ｘに沿って所定の距離を隔てて列状に配置されており、第５接合部列Ｍ３２を形成している。第４接合部列Ｍ３１と第５接合部列Ｍ３２とは、横方向Ｙに交互に配置されている。第４接合部列Ｍ３１における接合部Ｍ１１のピッチと、第５接合部列Ｍ３２における接合部Ｍ１２のピッチとはいずれも同じになっている。そして第４接合部列Ｍ３１と、第５接合部列Ｍ３２とでは、接合部Ｍ１１，Ｍ１２の配置が半ピッチずれている。その結果、側部域Ｍにおいては、１種類の凸部である凸部Ｍ２１のみが形成されている。凸部Ｍ２１は、縦方向Ｘに沿って隣り合う２つの接合部Ｍ１１と、横方向Ｙに沿って隣り合う２つの接合部Ｍ１２との合計４つの接合部に囲まれた領域内に形成されている。凸部Ｍ２１は、横方向Ｙに沿う長さと縦方向Ｘに沿う長さが略同一である、略円形の平面視形状をしている。表面シート２を横方向Ｙに沿ってみたとき、側部域Ｍには、凸部Ｍ２１が横方向Ｙに沿って配置されている第３凸部列Ｍ３３と、第４凸部列Ｍ３４とが形成されている。第３凸部列Ｍ３３と、第４凸部列Ｍ３４とでは、凸部Ｍ２１のピッチは同じになっており、凸部Ｍ２１の配置が半ピッチずれている。
【手続補正４】
【補正対象書類名】明細書
【補正対象項目名】００２３
【補正方法】変更
【補正の内容】
【００２３】
中央域Ｓに形成されている凸部Ｓ２１及び凸部Ｓ２２は、その高さが同一であってもよく、あるいは異なっていてもよいが、外観及び触感の向上の観点から、異なる高さであることが好ましい。両凸部Ｓ２１，Ｓ２２の高さが異なる場合、凸部Ｓ２１の方が凸部Ｓ２２よりも高くなっていてもよく、あるいは逆に凸部Ｓ２２の方が凸部Ｓ２１よりも高くなっていてもよい。２つの凸部を異なる高さにすることにより、指で該部位を触った際、触感の異なる部位が交互に現れ、高さが同一な１種類の凸部を有したものと比べて、より風合いがよく感じられるようになる。また、排泄された尿が表面シート２の表面を伝って流れるときに、低い凸部から高い凸部へ尿が移動するときの抵抗が大きくなることによって、尿が流れにくくなり、漏れを低減できるようになる。側部域Ｍに形成されている凸部Ｍ２１に関しては、凸部Ｍ２１の高さは、凸部Ｓ２１及び凸部Ｓ２２と同じであってもよく、あるいは異なっていてもよい。例えば凸部Ｍ２１の高さは、凸部Ｓ２１及び凸部Ｓ２２のうちのいずれか一方と同じであってもよく、あるいは凸部Ｓ２１及び凸部Ｓ２２の双方と同じであってもよく、あるいは異なっていてもよい。側部域Ｍは着用者の脚の動きに起因して、表面シート２の浮きが生じやすい。そこで、表面シート２の浮きの抑制の観点から、側部域Ｍに配置された凸部Ｍ２１は１種類の凸部から構成されることが好ましい。また、より風合いが重視される中央域Ｓに配置された凸部Ｓ２１，Ｓ２２の高さよりも、側部域Ｍに配置された凸部Ｍ２１の高さの方が低いか、又は両者の高さが同じであることが好ましい。
【手続補正５】
【補正対象書類名】明細書
【補正対象項目名】００２５
【補正方法】変更
【補正の内容】
【００２５】
表面シート２においては、中央域Ｓと側部域Ｍとで接合部の形状及び／又は配置パターンが相違していることに加え、接合部の面積率が、中央域Ｓと側部域Ｍとで略同一になっている。接合部の面積率（％）とは、中央域Ｓ及び側部域Ｍのそれぞれにおいて、所定の面積中に占める接合部の面積の総和を、該所定の面積で除し、更に１００を乗じた値である。接合部の面積率が略同一とは、接合部の面積率が中央域Ｓと側部域Ｍとで同一である場合、及び中央域Ｓの面積率に対して側部域Ｍの面積率が±１５％の範囲内にある場合の双方を包含する。つまり中央域Ｓの面積率がＡ％である場合、側部域Ｍの面積率が０．８５Ａ％以上１．１５Ａ％以下である場合、中央域Ｓと側部域Ｍとの面積率は略同一であるという。
【手続補正６】
【補正対象書類名】明細書
【補正対象項目名】００４３
【補正方法】変更
【補正の内容】
【００４３】
第１シート及び第２シートを構成するシート材料として用いる不織布の坪量は、それぞれ独立に、好ましくは１０ｇ／ｍ２以上、より好ましくは１５ｇ／ｍ２以上であり、また好ましくは４０ｇ／ｍ２以下、より好ましくは３５ｇ／ｍ２以下である。不織布の坪量は１０ｇ／ｍ２以上４０ｇ／ｍ２以下であることが好ましく、１５ｇ／ｍ２以上３５ｇ／ｍ２以下であることが更に好ましい。
【手続補正７】
【補正対象書類名】明細書
【補正対象項目名】００５１
【補正方法】変更
【補正の内容】
【００５１】
一方、側部域Ｍは１種類の接合部である接合部Ｍ１１のみを有している。接合部Ｍ１１は、縦方向Ｘに沿って所定間隔で配置されており第４接合部列Ｍ３１を形成している。また、接合部Ｍ１１は、縦方向Ｘに沿って所定間隔で配置されており第５接合部列Ｍ３２を形成している。第４接合部列Ｍ３１と第５接合部列Ｍ３２とでは、縦方向Ｘに沿う接合部１１のピッチが相違しており、第４接合部列Ｍ３１におけるピッチよりも、第５接合部列Ｍ３２におけるピッチの方が大きくなっている。
【手続補正８】
【補正対象書類名】明細書
【補正対象項目名】００５６
【補正方法】変更
【補正の内容】
【００５６】
上述した実施形態に関し、本発明は更に以下の吸収性物品を開示する。
＜１＞
表面シート、裏面シート及びこれら両シート間に配置された吸収体を具備する吸収性物品であって、
前記表面シートが、第１シートと第２シートとの積層体からなり、
前記積層体は、第１シートと第２シートとの部分接合による接合部を複数有し、第１シートが、前記接合部以外の部位において第２シートから離れる方向に突出して、着用者の身体に向けて突出する複数の凸部を形成しており、
前記表面シートは、幅方向の中央部に位置し且つ長手方向に延びる中央域と、該中央域に隣接し且つ長手方向に延びる一対の側部域とを有し、
前記接合部の形状及び／又は配置パターンが、中央域と側部域とで相違しており、
前記接合部の面積率が、中央域と側部域とで略同一であり、
単位面積当たりの前記接合部の個数が、中央域よりも側部域の方が多くなっている、吸収性物品。
＜２＞
前記表面シートにおいて、中央域に形成された前記接合部のうち面積が最大のものの該面積をＣとし、側部域に形成された前記接合部のうち面積が最大のものの該面積をＤとしたとき、Ｃ＞Ｄの関係を有する前記＜１＞に記載の吸収性物品。
＜３＞
前記表面シートにおいて、中央域に形成された前記接合部のうち長手方向に沿う長さが最長のものの該長さをＥとし、側部域に形成された前記接合部のうち長手方向に沿う長さが最長のものの該長さをＦとしたとき、Ｅ＞Ｆの関係を有する前記＜１＞又は＜２＞に記載の吸収性物品。
＜４＞
前記表面シートは、中央域での該シートの剪断応力よりも、側部域での該シートの剪断応力の方が高くなっている前記＜１＞ないし＜３＞のいずれか１に記載の吸収性物品。
＜５＞
着用時に着用者の腹側に配される腹側部と、背側に配される背側部と、それらの間に位置する股下部とを有し、
前記中央域及び前記側部域は、少なくとも前記股下部に形成されている前記＜１＞ないし＜４＞のいずれか１に記載の吸収性物品。
＜６＞
着用時に着用者の腹側に配される腹側部と、背側に配される背側部と、それらの間に位置する股下部とを有し、
前記中央域及び前記側部域は、前記股下部から前記腹側部及び前記背側部のいずれか一方若しくは双方にわたって形成されていることが好ましく、前記吸収体の全長にわたって形成されていることが一層好ましく、吸収性物品の全長にわたって形成されていることが更に一層好ましい前記＜１＞ないし＜５＞のいずれか１に記載の吸収性物品。
＜７＞
前記中央域の幅は、前記表面シートの幅に対して３０％以上であることが好ましく、４０％以上であることが更に好ましく、７０％以下であることが好ましく、６０％以下であることが更に好ましい前記＜１＞ないし＜６＞のいずれか１に記載の吸収性物品。
＜８＞
前記側部域の幅は、前記表面シートの幅に対して１５％以上３５％以下であることが好ましく、２０％以上３０％以下であることが更に好ましい前記＜１＞ないし＜７＞のいずれか１に記載の吸収性物品。
＜９＞
前記側部域の幅の総和は、前記表面シートの幅に対して３０％以上であることが好ましく、４０％以上であることが更に好ましく、７０％以下であることが好ましく、６０％以下であることが更に好ましい前記＜１＞ないし＜８＞のいずれか１に記載の吸収性物品。
＜１０＞
前記表面シートは、前記中央域及び前記側部域のいずれにおいても、前記第２シート側の面がほぼ平坦であり、前記第１シート側に起伏の大きな凹凸が形成されている前記＜１＞ないし＜９＞のいずれか１に記載の吸収性物品。
＜１１＞
着用者の前後方向に相当する縦方向と、該縦方向に直交する横方向とを有し、
前記表面シートの前記中央域においては、２種類の接合部が形成されており、該２種類の接合部はいずれも前記縦方向及び前記横方向に沿う辺を有する矩形をしている点で一致するが、互いに異なる形状をしている前記＜１＞ないし＜１０＞のいずれか１に記載の吸収性物品。
＜１２＞
着用者の前後方向に相当する縦方向と、該縦方向に直交する横方向とを有し、
前記表面シートの前記中央域においては、前記縦方向に沿って所定の距離を隔てて列状に配置された２種類の接合部が形成されており、
一方の接合部は、第１接合部列を形成し、他方の接合部は、隣り合う前記第１接合部列の間に交互に配置された第２接合部列及び第３接合部列を形成しており、
前記第２接合部列と前記第３接合部列とは、前記縦方向に沿う前記他方の接合部のピッチが同じになっており、且つ位相が半ピッチずれている前記＜１＞ないし＜１１＞のいずれか１に記載の吸収性物品。
＜１３＞
着用者の前後方向に相当する縦方向と、該縦方向に直交する横方向とを有し、
前記中央域には２種類の凸部が形成されており、
一方の凸部は、前記横方向に沿う長さが、前記縦方向に沿う長さよりも長い、略楕円形の平面視形状をしており、他方の凸部は、前記横方向に沿う長さと前記縦方向に沿う長さが略同一である、略円形の平面視形状をしている前記＜１＞ないし＜１２＞のいずれか１に記載の吸収性物品。
＜１４＞
着用者の前後方向に相当する縦方向と、該縦方向に直交する横方向とを有し、
前記側部域には、２種類の接合部が形成されており、該２種類の接合部はいずれも前記縦方向及び前記横方向に沿う辺を有する矩形をしている点で一致するが、互いに異なる形状をしている前記＜１＞ないし＜１３＞のいずれか１に記載の吸収性物品。
＜１５＞
着用者の前後方向に相当する縦方向と、該縦方向に直交する横方向とを有し、
前記側部域には、前記縦方向に沿って所定の距離を隔てて列状に配置された２種類の接合部が形成されており、
一方の接合部は、第４接合部列を形成しており、
他方の接合部は、前記第４接合部列と前記横方向に交互に配置された第５接合部列を形成しており、
前記第４接合部列における前記一方の接合部のピッチと前記第５接合部列における前記他方の接合部のピッチとはいずれも同じになっており、前記第４接合部列と前記第５接合部列とでは、前記接合部の配置が半ピッチずれている前記＜１＞ないし＜１４＞のいずれか１に記載の吸収性物品。
＜１６＞
前記中央域には２種類の凸部が形成されており、
前記２種類の凸部は、異なる高さである前記＜１＞ないし＜１５＞のいずれか１に記載の吸収性物品。
＜１７＞
前記中央域に配置された前記凸部の高さよりも、前記側部域に配置された前記凸部の方が低いか、又は両者の高さが同じになっている前記＜１＞ないし＜１６＞のいずれか１に記載の吸収性物品。
＜１８＞
前記中央域と前記側部域とで、前記接合部の配置パターンが異なり、且つ該接合部の形状も異なっている前記＜１＞ないし＜１７＞のいずれか１に記載の吸収性物品。
＜１９＞
前記中央域及び前記側部域における前記接合部の面積率は、１０％以上であることが好ましく、１５％以上であることが更に好ましく、４０％以下であることが好ましく、３５％以下であることが一層好ましい前記＜１＞ないし＜１８＞のいずれか１に記載の吸収性物品。
＜２０＞
前記側部域に形成された接合部のうちの面積が最大なものの面積をＣとし、前記中央域に形成された接合部のうちの面積が最大なものの面積をＤとした場合、
面積Ｄは、面積Ｃの８０％以下であることが好ましく、７０％以下であることが更に好ましく、２０％以上であることが好ましく、３０％以上であることが更に好ましい前記＜１＞ないし＜１９＞のいずれか１に記載の吸収性物品。
＜２１＞
前記側部域に形成された接合部のうちの面積が最大なものの面積をＣとし、前記中央域に形成された接合部のうちの面積が最大なものの面積をＤとした場合、
前記中央域の接合部の面積の総和に占める、前記面積Ｃの接合部の面積の総和の割合は、２０％以上であることが好ましく、３０％以上であることが更に好ましく、この割合の上限は好ましくは８０％であり、更に好ましくは７０％である前記＜１＞ないし＜２０＞のいずれか１に記載の吸収性物品。
＜２２＞
前記側部域に形成された接合部のうちの面積が最大なものの面積をＣとし、前記中央域に形成された接合部のうちの面積が最大なものの面積をＤとした場合、
前記側部域の接合部の面積の総和に占める、前記面積Ｄの接合部の面積の総和の割合は、８０％以上であることが好ましく、９０％以上であることが更に好ましく、この割合の上限は好ましくは１００％である前記＜１＞ないし＜２１＞のいずれか１に記載の吸収性物品。
＜２３＞
着用者の前後方向に相当する縦方向と、該縦方向に直交する横方向とを有し、
前記中央域に形成された接合部のうち前記縦方向に沿う長さが最長のものの長さをＥとし、前記側部域に形成された接合部のうち前記長手方向に沿う長さが最長のものの長さをＦとしたとき、
前記長さＦは、前記長さＥの８０％以下であることが好ましく、７０％以下であることが更に好ましく、２０％以上であることが好ましく、３０％以上であることが更に好ましい前記＜１＞ないし＜２２＞のいずれか１に記載の吸収性物品。
＜２４＞
前記中央域に形成された接合部のうち前記縦方向に沿う長さが最長のものの長さをＥとし、前記側部域に形成された接合部のうち前記長手方向に沿う長さが最長のものの長さをＦとしたとき、
前記中央域の、接合部の面積の総和に占める、前記長さＥの接合部の面積の総和の割合は、２０％以上であることが好ましく、３０％以上であることが更に好ましく、この割合の上限は好ましくは１００％であり、更に好ましくは８０％である前記＜１＞ないし＜２３＞のいずれか１に記載の吸収性物品。
＜２５＞
前記中央域に形成された接合部のうち前記縦方向に沿う長さが最長のものの長さをＥとし、前記側部域に形成された接合部のうち前記長手方向に沿う長さが最長のものの長さをＦとしたとき、
前記側部域の、接合部の面積の総和に占める、前記長さＦの接合部の面積の総和の割合は、６０％以上であることが好ましく、８０％以上であることが更に好ましく、この割合の上限は好ましくは１００％であり、更に好ましくは９０％である前記＜１＞ないし＜２４＞のいずれか１に記載の吸収性物品。
＜２６＞
前記中央域の剪断応力の値は、２５Ｎ以上であることが好ましく、３０Ｎ以上であることが更に好ましく、３４Ｎ以下であることが好ましく、３３Ｎ以下であることが更に好ましい前記＜１＞ないし＜２５＞のいずれか１に記載の吸収性物品。
＜２７＞
前記側部域の剪断応力の値は、前記中央域の剪断応力よりも高いことを条件として、３３Ｎ以上であることが好ましく、３５Ｎ以上であることが更に好ましく、４５Ｎ以下であることが好ましく、４０Ｎ以下であることが更に好ましい前記＜１＞ないし＜２６＞のいずれか１に記載の吸収性物品。
＜２８＞
前記中央域における、前記凸部の面積が最大のものの面積をＳｍａｘとし、前記側部域における、前記凸部の面積が最大なものの面積をＭｍａｘとした場合、Ｓｍａｘ＞Ｍｍａｘなる関係を満たす前記＜１＞ないし＜２７＞のいずれか１に記載の吸収性物品。
＜２９＞
前記第１シート及び前記第２シートを構成するシート材料として用いる不織布の坪量は、好ましくは１０ｇ／ｍ２以上、より好ましくは１５ｇ／ｍ２以上であり、また好ましくは４０ｇ／ｍ２以下、より好ましくは３５ｇ／ｍ２以下である前記＜１＞ないし＜２６＞のいずれか１に記載の吸収性物品。